(57)【特許請求の範囲】
【請求項１】
非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を直接的または間接的に載置する載置部と、この載置部に前記非接触型ＩＣ媒体を載置するための窓と、この窓を開閉するシャッタとを備えた非接触型ＩＣ媒体処理装置において、
前記載置部を前記窓側に向かって傾斜させ、この載置部に前記非接触型ＩＣ媒体の下端を直接的または間接的に支承する支承部と、
前記支承部に前記非接触型ＩＣ媒体に直接的または間接的に付けられた付属品を通す溝を設け、前記シャッタが閉じた状態で当該シャッタの端部と前記窓の端部との間に前記付属品を導出するための隙間を設けたことを特徴とする非接触型ＩＣ媒体処理装置。
【請求項２】
前記シャッタが閉じられたことを検知するセンサと、このセンサの検知により前記シャッタの閉じ状態を保持するロック手段とを備えたことを特徴とする請求項１記載の非接触型ＩＣ媒体処理装置。
【発明の詳細な説明】
【技術分野】
【０００１】
本発明は、非接触型ＩＣ媒体に記録されているデータを非接触状態で処理する非接触型ＩＣ媒体処理装置に関するものである。
【背景技術】
【０００２】
この種の装置では、載置部に載置された携帯電話機等の携帯端末機に内蔵された非接触型ＩＣ媒体や財布等に収納されている非接触型ＩＣ媒体に記録されたデータを処理している最中に、故意または誤って携帯端末機や財布等を装置から抜き取られないようにするため、載置部に載置された携帯端末機や財布等を覆うシャッタが設けられている。従来の非接触型ＩＣ媒体処理装置としては、非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を載置する載置部と、この載置部に前記非接触型ＩＣ媒体を載置するための窓と、この窓を開閉するシャッタとを備えたものがある（例えば、特許文献１参照）。
【特許文献１】特開２００６−４８４５５号公報
【発明の開示】
【発明が解決しようとする課題】
【０００３】
上述した従来の非接触型ＩＣ媒体処理装置においては、載置部が水平状態に設けられているため、載置部に携帯端末機や財布等を載置しずらく、利用者にとって使い勝手が悪いという問題があった。また、携帯端末機や財布等を載置する位置が利用者によって異なることがあるため、載置された携帯端末機に内蔵された非接触型ＩＣ媒体や財布等に収納されている非接触型ＩＣ媒体の位置と通信手段の位置との間にばらつきが発生しデータの通信不良によって、データの処理不良が発生するおそれがあった。
【０００４】
本発明は上記した従来の問題に鑑みなされたものであり、その目的とするところは、利用者の使い勝手を向上させるとともに、データの処理不良の発生を防止した非接触型ＩＣ媒体処理装置を提供するところにある。
【課題を解決するための手段】
【０００５】
この目的を達成するために、本発明は、非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を直接的または間接的に載置する載置部と、この載置部に前記非接触型ＩＣ媒体を載置するための窓と、この窓を開閉するシャッタとを備えた非接触型ＩＣ媒体処理装置において、前記載置部を前記窓側に向かって傾斜させ、この載置部に前記非接触型ＩＣ媒体の下端を直接的または間接的に支承する支承部と、前記支承部に前記非接触型ＩＣ媒体に直接的または間接的に付けられた付属品を通す溝を設け、前記シャッタが閉じた状態で当該シャッタの端部と前記窓の端部との間に前記付属品を導出するための隙間を設けたものである。
【０００６】
本発明は、前記発明において、前記シャッタが閉じられたことを検出するセンサと、このセンサの検出により前記シャッタの閉じ状態を保持するロック手段とを備えたものである。
【発明の効果】
【０００８】
本発明によれば、載置部が窓側に向かって傾斜しているため、載置部に非接触型ＩＣ媒体を内蔵した携帯端末機または非接触型ＩＣ媒体が収納された財布等あるいは非接触型ＩＣ媒体単体を載置し易くなり利用者にとっての使い勝手が向上する。また、載置部に載置された携帯端末機または財布等あるいは非接触型ＩＣ媒体単体は載置部に沿って自重により降下し下端が支承部に支承されるため、常に非接触型ＩＣ媒体が同じ位置に載置されるから、データの処理不良が発生するようなことがなく、そのうえ、携帯端末機または財布等あるいは非接触型ＩＣ媒体単体に付けられた付属品が支承部の溝および隙間から装置の外部に導出されるため、載置部に載置された携帯端末機または財布等あるいは非接触型ＩＣ媒体単体が付属品によって載置部から浮き上がったり、支承部から位置がずれて支承されるようなこともないからデータの処理不良が発生するようなことがない。
【０００９】
前記発明のうちの一つの発明によれば、シャッタが閉じられるとロック手段によってシャッタの閉じた状態が保持されるため、非接触型ＩＣ媒体が処理されている間に、故意または誤って携帯端末機または財布等あるいは非接触型ＩＣ媒体単体が抜き取られるようなことがない。
【発明を実施するための最良の形態】
【００１１】
以下、本発明の実施の形態を図に基づいて説明する。図１は本発明に係る非接触型ＩＣ媒体処理装置の外観を示す斜視図、図２は図５におけるII矢視図、図３は同じく一部を破断して示す平面図、図４は図３におけるIV部のみを示す平面図、図５および図６は図３におけるV-V 線断面図であって、図５は窓が開いている状態を示し、図６は窓が閉じた状態を示す。
【００１２】
図１および図５に全体を符号１で示す非接触型ＩＣ媒体装置は、前面側に水平面から角度αだけ傾斜した窓２を有する断面が略コ字状に形成された筺体３を備えており、この筺体３の底部４には、対向する両側部５，５を有する断面コ字状のブラケット６と支持板７とが固定されている。
【００１３】
図３において、８はブラケット６の両側部５，５間に回転自在に支持された駆動軸であって、ギア９が軸着されている。１０は支持ブラケット６に固定されたシャッタ開閉用のモータであって、出力軸１０ａに軸着された小径のギア１１には、大径のギア１２が噛合し、この大径のギア１２に一体に形成された小径のギア１２ａにはギア９が噛合している。
【００１４】
図３および図５において、１３は対向する両側部１３ａ，１３ａとこれらを連結するシャッタ部１３ｂとによって断面コ字状に形成されたシャッタであって、両側部１３ａ，１３ａが駆動軸８の両端部に固定されている。したがって、モータ１０が一方向に駆動すると、この駆動はギア１１，１２，１２ａ，９を介して、駆動軸８が図５中時計方向に回動し、シャッタ１３も駆動軸８と一体的に時計方向に回動するので、窓２がシャッタ１３のシャッタ部１３ｂから開放される。
【００１５】
一方、モータ１０が他方向に駆動すると、この駆動はギア１１，１２，１２ａ，９を介して、駆動軸８が図６中反時計方向に回動し、シャッタ１３も駆動軸８と一体的に反時計方向に回動するので、窓２がシャッタ１３のシャッタ部１３ｂによって閉塞される。この状態で、シャッタ１３の両側部１３ａ，１３ａが、図１に示すように支持板７の一端部７ａに係合し、シャッタ部１３ｂの下端と支持板７の一端部７ａとの間に高さＨの隙間１４が形成される。
【００１６】
駆動軸８には、図３に示すように、３枚の円板１５，１６，１７が軸着されており、このうち円板１５，１６には半径方向に延在する切欠き（図示せず）が円周方向に一つだけ設けられ、円板１７には半径方向に延在する切欠き（図示せず）が円周方向に等間隔おいて多数個設けられている。１８は円板１５の切欠きを検出するセンサであって、シャッタ１３のシャッタ部１３ｂが窓２を開放した図５に示す状態を検出する窓開放検出用センサとして機能する。
【００１７】
１９は円板１６の切欠きを検出するセンサであって、シャッタ１３のシャッタ部１３ｂによって窓２が閉塞された図６に示す状態を検出する窓閉塞検出用センサとして機能する。２０は円板１７の多数個の切欠きを検出し、シャッタ１３の開閉動作が正常に機能しているかを検出するセンサである。
【００１８】
図３において、２１はブラケット５に固定されたソレノイドであって、進退自在なプランジャー２１ａには、軸２２に回動自在に支持されＬ字状に形成されたレバー２３の一端が枢着されている。このレバー２３の他端部には、ブラケット６の一方の側部５の孔（図示せず）を貫通する係合ピン２４が枢着されており、この係合ピン２４は側部５とレバー２３との間に弾装された圧縮コイルばね２５の弾発力によって、側部５の孔から後退する方向に付勢されている。
【００１９】
したがって、ソレノイド２１が駆動し、プランジャー２１ａが後退することにより、レバー２３が軸２２を回動中心として時計方向に回動するので、係合ピン２４が圧縮コイルばね２５の弾発力に抗して側部５の孔から前進する。前進した係合ピン２４は、図４に示すように窓２を閉塞しているシャッタ１３の側部１３ａに係合し、シャッタ１３の回動を規制することにより、シャッタ１３による窓２の閉塞状態を保持する。したがって、これらソレノイド２１と、レバー２３と、係合ピン２４と、圧縮コイルばね２５とが、シャッタ１３による窓２の閉塞状態を保持するロック手段２６を構成している。
【００２０】
支持板７の一端側は、図５に示すように逆Ｌ字状に形成され、窓２に対向する部位に非接触型ＩＣ媒体を直接的または間接的に載置する（ここでの直接的または間接的にとは、非接触型ＩＣ媒体単体を直接的に載置する場合だけではなく、非接触型ＩＣ媒体を内蔵した携帯端末機や非接触型ＩＣ媒体を収納した財布等を載置するというように非接触型ＩＣ媒体を間接的に載置する場合を含むことを意味している）載置部７ｂが設けられており、この載置部７ｂは窓２と対向するように水平面から角度αだけ窓２側に向かって傾斜している。この載置部７ｂには、図２に示すように携帯端末機または財布等あるいは非接触型ＩＣ媒体単体を載置する位置を指示する円形の目印２７が付されている。この目印２７の下端部には、載置部７ｂに載置された携帯端末機または財布等あるいは非接触型ＩＣ媒体単体の下端を支承する支承部２８が突設されており、この支承部２８の中央部には、携帯端末機または財布等あるいは非接触型ＩＣ媒体単体に付けられるストラップやアクセサリー等の付属品を通す溝２８ａが設けられている。
【００２１】
図５において、２９は載置部７ｂに載置された携帯端末機に内蔵された非接触型ＩＣ媒体または財布等に収納された非接触型ＩＣ媒体あるいは非接触型ＩＣ媒体単体と非接触状態でデータの通信を行う通信手段としてのアンテナ基板であって、載置部７ｂの下方に載置部７ｂと対向するように設けられている。３０は図示を省略したブラケットを介して筺体３の底部に固定された制御基板である。３１はアンテナ基板２９を介して載置部７ｂに載置された携帯端末機に内蔵された非接触型ＩＣ媒体または財布等に収納された非接触型ＩＣ媒体あるいは非接触型ＩＣ媒体単体に記録されているデータの読み・書きを行うデータ処理手段としてのリーダライタ制御部である。
【００２２】
次に、このように構成された非接触型ＩＣ媒体処理装置１による媒体の処理動作について説明する。予め、非接触型ＩＣ媒体処理装置１は、モータ１０が一方向に駆動し、図５に示すように、シャッタ１３も駆動軸８と一体的に時計方向に回動することにより、窓２がシャッタ１３のシャッタ部１３ｂから開放されている。この状態で、利用者はこの非接触型ＩＣ媒体処理装置１が付設された発券装置（図示せず）での発券動作を行う。
【００２３】
次いで、利用者は非接触型ＩＣ媒体処理装置１の開放されている窓２から、非接触型ＩＣ媒体が内蔵されている携帯端末機等（図示せず）を載置部７ｂに載置する。このとき、載置部７ｂが水平面から角度αだけ窓２側に向かって傾斜しているため、携帯端末機を載置部７ｂに載置し易くなるから利用者に対する使い勝手が向上する。
【００２４】
また、載置部７ｂに載置された携帯端末機は載置部７ｂに沿って自重により降下し下端が支承部２８に支承されるため、常に携帯端末機が載置部７ｂの同じ位置に載置されるから、アンテナ基板２９との間の通信が確実に行われるので、リーダライタ制御部３１によるデータの処理不良が発生するようなことがない。
【００２５】
載置部７ｂに載置された携帯端末機にアクセサリーやストラップ等の付属品が付けられている場合は、これら付属品を支承部２８の溝２８ａを通しておく。載置部７ｂに携帯端末機が載置されたことをセンサ（図示せず）によって検出すると、モータ１０が他方向に駆動し、図６に示すように、シャッタ１３も駆動軸８と一体的に反時計方向に回動することにより、窓２がシャッタ１３のシャッタ部１３ｂにより閉塞される。
【００２６】
このとき、シャッタ部１３ｂの下端と支持板７の一端部７ａとの間に高さＨの隙間１４が形成されるから、支承部２８の溝２８ａを通しておいた携帯端末機の付属品を隙間１４から非接触型ＩＣ媒体処理装置１の外部に導出することができる。このため、付属品によって携帯端末機が載置部７ｂから浮き上がったり支承部２８から位置がずれるようなこともないから、常に携帯端末機が載置部７ｂの同じ位置に載置されるため、アンテナ基板２９との間の通信が確実に行われるので、リーダライタ制御部３１におけるデータの処理不良が発生するようなことがない。
【００２７】
シャッタ１３のシャッタ部１３ｂによって窓２が閉塞されたことが窓閉塞検出用センサ１９によって検出されると、ソレノイド２１が駆動し、プランジャー２１ａが後退することにより、係合ピン２４が圧縮コイルばね２５の弾発力に抗して側部５の孔から前進する。前進した係合ピン２４は、図４に示すように窓２を閉塞しているシャッタ１３の側部１３ａに係合し、シャッタ１３の回動を規制することにより、シャッタ１３による窓２の閉塞状態が保持される。このため、故意または誤って、シャッタ１３を回動させて窓２を開放するようなことができないから、載置部７ｂに載置された携帯端末機に内蔵された非接触型ＩＣ媒体に記録されているデータの処理が行われている最中に、携帯端末機が窓２から抜き取られるようなことがない。
【００２８】
携帯端末機に内蔵された非接触型ＩＣ媒体に記録されているデータの処理が終了したら、ソレノイド２１の駆動が停止し、圧縮コイルばね２５の弾発力によって係合ピン２４が側部５の孔へ後退することにより、係合ピン２４と窓２を閉塞しているシャッタ１３の側部１３ａとの係合が解除される。係合が解除されると、モータ１０が一方向に駆動し、図５に示すようにシャッタ１３も駆動軸８と一体的に時計方向に回動することにより、窓２が開放される。したがって、利用者は開放された窓２から手を差し入れ、載置部７ｂに載置されている携帯端末機を取り上げる。
【図面の簡単な説明】
【００２９】
【図１】本発明に係る非接触型ＩＣ媒体処理装置の外観を示す斜視図である。
【図２】図５におけるII矢視図である。
【図３】本発明に係る非接触型ＩＣ媒体処理装置の一部を破断して示す平面図である。
【図４】図３におけるIV部のみを示す平面図である。
【図５】図３におけるV-V 線断面図であって、窓が開いている状態を示す。
【図６】図３におけるV-V 線断面図であって、窓が閉じた状態を示す。
【符号の説明】
【００３０】
１…非接触型ＩＣ媒体処理装置、２…窓、７ｂ…載置部、８…駆動軸、１０…モータ、１３…シャッタ、１４…隙間、１９…センサ、２１…ソレノイド、２４…係合ピン、２６…ロック手段、２８…支承部、２８ａ…溝、２９…アンテナ基板（通信手段）、３１…リーダライタ制御部（データ処理手段）。
【図１】
0005157496.tif 000002
【図２】
0005157496.tif 000003
【図３】
0005157496.tif 000004
【図４】
0005157496.tif 000005
【図５】
0005157496.tif 000006
【図６】
0005157496.tif 000007